(57)【要約】【課題】衝撃に強く、裂けにくい傘を提供する。【解決手段】傘の生地２は、樹脂製シートまたはフィルムからなる複数の略二等辺三角形状の生地パーツ１５，…，１５が、それぞれの等辺端縁の近辺が前記等辺に沿って同一方向に向かい合わせに折り曲げられ、折り目が長手方向になるように２つ折りされたテープ１７の内側に挟まれてテープとともに縫い合わされて形成される。【選択図】    図４
0003119627.tif 000002
【実用新案登録請求の範囲】
【請求項１】
樹脂製シートまたはフィルムからなる複数の略二等辺三角形状の生地パーツを接合した生地を備えた傘であって、
前記生地は、
隣り合う前記生地パーツが、それぞれの等辺端縁の近辺が前記等辺に沿って同一方向に向かい合わせに折り曲げられ、前記端縁が折り目が長手方向になるように折られたテープの内側に挟まれて前記テープとともに縫い合わされてなる
ことを特徴とする傘。
【請求項２】
前記テープが、
長手方向に延びた両縁が前記折り目に達しない範囲で折り目が長手方向になるようにそれぞれ内側に折られて前記生地パーツと縫い合わされた
請求項１に記載の傘。
【請求項３】
前記生地パーツの底辺端縁が、
折り目が長手方向になるように折られたテープの内側に挟まれて前記テープとともに縫い合わされてなる
請求項１または請求項２に記載の傘。
【請求項４】
前記生地は、
透明な生地パーツまたは透明部分と絵柄部分とを有する生地パーツで形成されてなる
請求項１ないし請求項３のいずれか１項に記載の傘。
【考案の詳細な説明】
【技術分野】
【０００１】
本考案は、雨傘および日傘などの傘に関する。
【背景技術】
【０００２】
近年、不意に雨が降り出したときの利用を狙って、生地に塩化ビニルを使用した低価格な雨傘がコンビニエンスストア等で販売されている。また、これよりも高価であるが生地にポリエチレンを使用したファッション性の高い雨傘も広く利用されている。
【考案の開示】
【考案が解決しようとする課題】
【０００３】
塩化ビニルまたはポリエチレン系の生地は、略二等辺三角形状の生地パーツ同士を、これら材料の特性を生かして高周波熱接着により接合して製作される。
しかしながら、高周波熱接着による生地パーツ同士の接合は、高周波加熱時の温度および接着時間等の管理が不十分な場合に接合部分の強度にバラツキが生じやすい。特に、このようにして接合された生地を使用したジャンプ傘（「ワンタッチ傘」ともいわれる、下はじきを押すことによりバネの力で開く傘）は、開いたときの骨による衝撃で生地の接合部分が剥離し雨漏りを生ずるという問題があった。
【０００４】
本考案は、上述の問題に鑑みてなされたもので、衝撃に強く、裂けにくい傘を提供することを目的とする。
【課題を解決するための手段】
【０００５】
前記目的を達成するため、本考案においては以下の技術的手段を講じた。
すなわち、本考案に係る傘は、樹脂製シートまたはフィルムからなる複数の略二等辺三角形状の生地パーツを接合した生地を備えた傘であって、前記生地は、隣り合う前記生地パーツが、それぞれの等辺端縁の近辺が前記等辺に沿って同一方向に向かい合わせに折り曲げられ、前記端縁が折り目が長手方向になるように折られたテープの内側に挟まれて前記テープとともに縫い合わされてなる。
【０００６】
ここでいう「等辺」とは、二等辺三角形における２つの等しい辺をいう。
本考案によれば、生地が衝撃に強く、裂けにくい傘を提供することができる。
好ましくは、前記テープが、長手方向に延びた両縁が前記折り目に達しない範囲で折り目が長手方向になるようにそれぞれ内側に折られて前記生地パーツと縫い合わされる。
このようにすることで、テープのほつれを防止することができる。
【０００７】
前記生地パーツの底辺端縁を折り目が長手方向になるように２つ折りされたテープの内側に挟んで前記テープとともに縫い合わせてもよい。
前記生地は、透明な生地パーツまたは透明部分と絵柄部分とを有する生地パーツで形成してもよい。
傘の生地に透明部分を設けることにより歩行時の視界を確保でき、またファッション性を高めることができる。
【考案の効果】
【０００８】
本考案によると、衝撃に強く、裂けにくい生地および雨漏りの生じにくい耐久性に優れた傘を提供することができる。
【考案を実施するための最良の形態】
【０００９】
図１は本考案にかかる傘１の斜視図、図２は傘１の平面図、図３は図２におけるＡ−Ａ矢視断面図、図４は図３の斜視図である。
図１および図２において、傘１は、骨格部２および生地３とからなる。
骨格部２は、中棒４、中棒４の外周を摺動可能な中ろくろ５、中棒４の外周を摺動可能であり中ろくろ５の下方に配置されて中ろくろ５の下部を出し入れ可能に収容する下ろくろ６、中ろくろ５の下部外周面と下ろくろ６の内周面との間に設けられ中ろくろ５と下ろくろ６とを離隔する方向に付勢するコイルバネ７、一端が中棒４に回動可能に接続された８本の骨８，…，８、一端が骨８，…，８の途中に回動可能に接続され他端が中ろくろ５に回動可能に接続された８本の受骨９，…，９、一端が受骨９，…，９の途中に回動可能に接続され他端が下ろくろ６に回動可能に接続された８本の吊骨１０，…，１０、中棒４の先端に取り付けられた石突１１、中棒４の他端に取り付けられた手もと１２、および傘を閉じた状態に維持するための下はじき１３などからなる。
【００１０】
傘１は、未使用時には下ろくろ６がその図示しない係止穴に下はじき１３に一体となった爪１４が嵌り込んで係止されることにより閉じており、下はじき１３を押下して爪１４による係止を解除するとコイルバネ７が伸張して受骨９，…，９および吊骨１０，…，１０を押し上げて開くように構成された、いわゆるジャンプ傘である。
生地２は、略二等辺三角形の８つの生地パーツ１５，…，１５を、図２によく示されるように、頂角を中心として底辺が略正八角形の各辺を構成するように配置して、互いに隣り合う等辺を接合して形成されている。
【００１１】
生地２を製作するための生地パーツ１５，…，１５同士の接合は、次のようにして行われる。
図２ないし図４を参照して、先ず、生地パーツ１５，…，１５の等辺の端縁から数ミリの部分を同一方向に折り曲げ、隣り合う生地パーツの折り曲げ部分１６，１６を向かい合わせる。次に、等辺に略等しい長さのテープ１７を折り目が長手方向になるように２つ折りし、さらに長手方向に延びた両縁が２つ折りした折り目に達しない範囲で折り目が長手方向になるようにそれぞれ内側に折る。このようにして折られたテープ１７の内側に生地パーツ１５，１５の折り曲げ部分１６，１６を挟み込み、これらを糸１８で縫い合わせて、生地２が製作される。つまり、生地２は、テープ１７でパイピングしてポリエチレン系の生地パーツ１５，…，１５を糸１８で縫い合わせて製作される。
【００１２】
生地２をこのようにして製作することにより、従来の高周波熱接着により製作した生地よりも衝撃に強く、裂けにくく、したがって雨漏り防止にもなり、ポリエチレン（ＰＯＥ）または塩化ビニルを用いた傘は壊れやすいというイメージを払拭できる。
生地パーツ１５，…，１５には、透明なシート状のポリエチレンを所定の寸法の略二等辺三角形に切り分けられたものが使用される。生地２を透明にすることで歩行時の視界を確保することができる。他の材質、例えば軟質塩化ビニルその他の合成樹脂シートにより生地パーツ１５，…，１５を製作してもよい。また、引っ張り強度の大きな材料で製作されたフィルムを使用することもできる。生地パーツ１５，…，１５を着色されたシートで製作してもよい。生地２に絵柄等をプリントしてもよい。キャラクターまたはブランドマークをプリントすることにより、傘１の付加価値を高めることができる。
【００１３】
テープ１７は、ポリエステル、ナイロン、および綿等のバイアス布をテープ状に切断したものが使用される。他の材質、例えばビニロン、ポリウレタンその他の合成繊維で作られた布地を使用してもよい。
生地２の端縁（生地パーツの底辺の端縁に該当）は、折り目が長手方向になるように２つ折りされたテープ１９の内側に挟まれて、テープ１９とともに縫い合わされる。テープには、ポリエステル、ナイロン、綿生地その他の繊維で作られた布地、合成樹脂製のシート等が使用される。生地２の端縁を、例えば反射繊維で織られたテープまたは反射テープでパイピングすることにより、夜間自動車等からの視認性が高まり使用者を交通事故から守ることができる。
【００１４】
上述の実施形態において、生地の形状、材質、接合方法等を、本考案の趣旨に沿って適宜変更することができる。
【産業上の利用可能性】
【００１５】
本考案は、雨傘、日傘、ビーチパラソル等の傘に利用可能である。
【図面の簡単な説明】
【００１６】
【図１】本考案にかかる傘の斜視図である。
【図２】傘の平面図である。
【図３】図２におけるＡ−Ａ矢視断面図である。
【図４】図３の斜視図である。
【符号の説明】
【００１７】
１  傘
２  生地
１５  生地パーツ
１７  テープ
１９  テープ
【図１】
0003119627.tif 000003
【図２】
0003119627.tif 000004
【図３】
0003119627.tif 000005
【図４】
0003119627.tif 000006